(57)【要約】【課題】  手軽に携帯できて物品購入に伴い受領したレシートなどの小型紙片を要領よく収納でき、収納後は確実に保管することができ、便利に取り扱える構成の紙片の収納ケースを提供する。【解決手段】  シート材で扁平な直方体に形成された紙片の収納ケース１であって、長手一側面を形成する側部片とこの側部片に繋がる蓋片７が開閉自在で、前記蓋片７が重なり合って閉じる内蓋部分５の前記開放側面側一部を紙片の出し入れ容易なように切欠かれ、かつその前記内蓋部分５の内側に収容する紙片を保持する保持片１０が付され、蓋片７は内蓋部分５に係止手段で係止可能にされている。【選択図】    図１
2006199369.tif 000002
【特許請求の範囲】
【請求項１】
弾性を有するシート材で扁平な直方体に形成された紙片の収納ケースであって、
長手一側面を形成する側部片とこの側部片に繋がる蓋片が開閉自在で、前記蓋片が重なり合って閉じる内蓋部分の前記開放側面側一部を紙片の出し入れ容易なように切欠かれ、かつその前記内蓋部分の内側に収容する紙片を保持する保持片が付され、前記蓋片は前記内蓋部分に係止手段で係止可能にされていることを特徴とする紙片の収納ケース。
【請求項２】
前記保持片は、シート材を二つ折りにして、その屈曲部をケース内の中央側に向け、前記二つ折りされた部分の一辺の一部を前記内蓋部分の内側に固着され、フリーにされた他辺をケース底面に向けて弾性力が付与されるように形成されている請求項１に記載の紙片の収納ケース。
【請求項３】
前記保持片は、屈曲部の幅方向の一端部がケースの開放側に突出するように形成されている請求項２に記載の紙片の収納ケース。
【発明の詳細な説明】
【技術分野】
【０００１】  この発明は、主として物品の購入時に受け取ってレシートなどほぼ定形の紙片を収納するのに好適で、簡単な構成にされた紙片の収納ケースに関するものである。
【背景技術】
【０００２】  一般に物品を購入した場合に受け取るレシート（領収書）は、レジスターによってロール紙に購入品の品目や購入価格などを印字された紙片によって代用されている。そして、近時、そのレジスターで印字して発行されるレシートとしては、感熱紙を使用するものが汎用されている。このような感熱紙による印字シートは、インクリボンを使用する印字機に比べて、印字コストが低減されるのと、表示が鮮明で文字以外の図形なども簡単に表示できることから汎用されている。【０００３】  ところが、その感熱紙によるレシート（紙片）は、時間の経過とともに印字面が経時変化（酸化）して表示が不鮮明になりやすく、またカールしやすいので、経理上たくさん集まると一般紙による帳票のように簡単に処理することが困難になるという問題点がある。そのために経理処理するに際して保管を丁寧に行わないと紛失したり記載面が不鮮明になって処理するのが厄介である。
【発明の開示】
【発明が解決しようとする課題】
【０００４】  しかしながら、前述のような小さな紙片を要領よく収納して必要な場合に取り出して処理するのに適した保存手段については、未だ実用化されるに到っていない。したがって、このような小型の紙片で保存が必要なものについての保存手段については、個人がそれぞれの裁量で小袋に収めて保管したり、台帳やノート帳などに挟み込んだりして保管するなどしている。このようなことから、ときには一部を紛失するなどの不具合が生じることになる。そのために、この種紙片の簡便な収容ケースのようなものの出現が要望されている。【０００５】  本発明は、前述のような状況に鑑みてなされたもので、手軽に携帯できて物品などの購入に伴い受領したレシートなどの小型紙片を要領よく収納でき、収納後は容器内から取り扱い時に脱落することなく確実に保管することができ、整理できる簡単な構成で便利に取り扱える構成とされた紙片の収納ケースを提供することを目的とするものである。
【課題を解決するための手段】
【０００６】  前記目的を達成するために、本発明による紙片の収納ケースは、
弾性を有するシート材で扁平な直方体に形成された紙片の収納ケースであって、
長手一側面を形成する側部片とこの側部片に繋がる蓋片が開閉自在で、前記蓋片が重なり合って閉じる内蓋部分の前記開放側面側一部を紙片の出し入れ容易なように切欠かれ、かつその前記内蓋部分の内側に収容する紙片を保持する保持片が付され、前記蓋片は前記内蓋部分に係止手段で係止可能にされされていることを特徴とするものである。【０００７】  前記発明において、前記保持片は、シート材を二つ折りにして、その屈曲部をケース内の中央側に向け、前記二つ折りされた部分の一辺の一部を前記内蓋部分の内側に固着され、フリーにされた他辺をケース底面に向けて弾性力が付与されるように形成されているのが好ましい（第２発明）。また、前記保持片は、屈曲部の幅方向の一端部がケースの開放側に突出するように形成されているのがよい（第３発明）。
【発明の効果】
【０００８】  本発明によれば、収納ケースを携行して物品購入などで受け取ったレシートなどの紙片を、ケースの蓋片を開いてその内部に収納するとき、開放された部分から紙片をケース内に挿入する際、内蓋部分の内側に付された保持片の下側をくぐらせて収納するようにされているので、ケース内に収められた紙片は、その保持片によって一部を押えられてケースの蓋片を開いても、収納済み紙片が抜け出し脱落することなく保管できる。したがって、携行して受領シートを一時的に保管するのに嵩張ることなく使用できるという利便性を有するものである。また、ケース内に揃えて保管されるので、感熱紙によるレシートであっても退色するのが抑えられて帳簿への記帳時に不鮮明のため整理困難となるのを予防できるという利点がある。【０００９】  また、第２発明および第３発明の構成を採用することにより、ケース内にレシートを収容するに際して、蓋片を開いてケースが開放されても、このケース内に開放部から挿入する紙片は、必ず弾性機能を備える保持片の下側に一部をくぐらせて挿入するので、収容された紙片はその保持片で押えられて外部に抜け落ちることなく保持される。したがって小さな紙片であっても確実に保管することができる。しかも、ケースの開放口から内部に紙片を差し込む際は、その保持片の屈曲部の幅方向に一端部が開放側突き出したように形成されているので、その保持片の下側にくぐらせて挿入する操作を容易にし、必ず挿入する紙片が保持片の下側を経て開放口からケースの内部に受け入れられ、操作を容易にするという効果を奏するのである。
【発明を実施するための最良の形態】
【００１０】  次に、本発明の紙片の収納ケースの具体的な実施の形態について、図面を参照しつつ説明する。【００１１】  図１には、本発明にかかる紙片の収納ケースの一実施形態の全体斜視図が示されている。図２には図１の中央縦断面図が示され、図３には蓋片を開いた収納状態を表す斜視図が示され、図４には保持片部分の拡大断面図が示されている。【００１２】  この実施形態の紙片の収納ケース１は、一般市場で物品を購入した際に、販売者がレジスターによって発行するレシートを収容保管するのに適した寸法のケースである。通常レジスターにより印字して発行されるレシートは、幅６０ｍｍ×長さ１６０〜１７０ｍｍ（長さについては限定されない）の寸法にされたものが一般的であり、感熱紙に印字されたものが発行されている。したがって、このような一般的なレシートを収納できる内法に形成されている。【００１３】  この収納ケース１は、例えばプラスチックシートを折り曲げ加工して形成されており、外形寸法を前述のようなレシート（紙片）が多数枚収容できるように、幅６０×長さ１７０×高さ１２ｍｍの内法に形成されている。ケース本体２は一方の長手側面部が開放されて収納口３とされ、その他の三側面と底面４および内蓋部分５とは一体に形成されている。そして、前記収納口３を覆う側面部位６と蓋片７とが折線ａ，ｂを介して開閉自在に、底面４部に連接されている。【００１４】  また、前記内蓋部分５は、前記収納口３側を収納するレシートの出し入れが容易な適宜寸法で切欠いて収納口３を広げるようにされている。また、この内蓋部分５には前記蓋片７を閉じあわせた時にその蓋片７を係止できるように半円形の係止孔８が設けられ、対する蓋片７にはその係止孔８に係合させて固定できるように舌片状の係止片９が切込まれて形成されている。【００１５】  このように形成されるケース本体２の内部には、図４に示されるように、保持片１０がケース本体２の長手方向一端部寄りに付設されている。この保持片１０は、ケース本体２と同様のプラスチックシートを、そのケース本体２の内法幅より狭い寸法で下向きに二つ折りにして、その折曲げ部１１を鋭角に形成し、一方の基端部１２を前記内蓋部分５の長手方向端寄り個所にケース本体２の底面４側に繋がる側面部４ｂと折線を介して連接され、あるいは内蓋部分５の端に接着され、他方のフリー端部１３を底面から適宜寸法浮かせた状態で、折曲げされた鋭角部（折曲げ部１１）をケース本体２の中央側に向けて配されている。なお、前記折曲げ部１１とその近傍部分の幅方向の一端部（張出し端部１４）を、基端部１２より収納口３側に張出してレシートの受け入れを容易なように形成されている。【００１６】  このように構成される本実施形態の紙片の収納ケース１は、使用に際して、蓋片７を開いて収納口３から図３で示されるように物品を購入して受け取ったレシート２０を内部に挿入して保管する。この際、ケース本体２内に挿入したレシート２０は、収納口３からケース本体２の内部に挿入すると、ケース本体２内に付設されている保持片１０のフリー端部１３と内底面４ａとの間にレシート２０が受け入れられる。その保持片１０のフリー端部１３は、折曲げ部１１によって弾性を与えられている���で、受け入れたレシート２０をケース本体２の内底面４ａとの間に挟み付ける働きをして、受け入れられたレシート２０を保持するので、収納後に蓋片７を開いても外部にレシート２０が滑り出すことなく保持される。したがって、一旦受け入れたレシート２０は、特に、取り出さない限りケース本体２内に保管され、紛失することがない。【００１７】  また、ケース本体２の内部にレシート２０を挿入するに際して、収納口３は内蓋部分５が切欠かれて広げられているのと、前記保持片１０の折曲げ部１１の張出し端部１４による受け入れ機能でレシート２０の受け入れを容易にし、ケース本体の厚みが狭くともレシート２０の挿入を容易にする。そして、収納ケース１は、レシート２０を受け入れて後、携行する際には蓋片７の係止片９を内蓋部分の係止孔８に係合させることにより蓋片７が固定されるので、収納されたレシート２０が外部に抜け落ちることなく確実に保持できる。また、保持片１０は、ケース本体２内にレシート２０が多く収納されるほどにそのフリー端部１３に作用する弾発力が高まるので、内底面４ａとによる挟圧力が高まり、収納可能な範囲でレシートを確実に保持して収容できる。【００１８】  このようにして本実施形態の収納ケース１には、全体が嵩低く形成されているので携行するのに便利である。そして、このケース１は携行して物品を購入して受け取ったレシート２０を、その都度、ケース本体２の内部に収容すれば、そのレシート２０が感熱紙で作成されたものであっても、これを順次収納することでまとめることができ、バラバラの状態で保管する場合に生じがちのレシート２０がカールしたり折れ曲がったりすることもなく、平らな状態で揃えて保管できる。したがって、収容シートが適宜量まとまれば、帳簿への記載に際して不都合が生じることなく処理することができ、記帳管理するのに有用である。また、前記保持片１０は、ケース本体２の長手方向の一方に片寄せて設けられ、その折曲げ部１１を中央寄りに向けて配されているので、レシート２０を挿入する際に引っかからず挿入できて取り扱いを容易にする。【００１９】  以上の説明では、収納ケース１はレシートを収納するものとして記載しているが、これに限定されるものではなく、小型の紙片であれば同様にして収容保管するのに使用できることは言うまでもない。
【図面の簡単な説明】
【００２０】
【図１】本発明にかかる紙片の収納ケースの一実施形態の全体斜視図
【図２】図１の中央縦断面図
【図３】蓋片を開いた収納状態を表す斜視図
【図４】保持片部分の拡大断面図
【符号の説明】
【００２１】  １      収納ケース
２      ケース本体
３      収納口
４      底面
４ａ    内底面
５      内蓋部分
７      蓋片
８      係止孔
９      係止片
１０    保持片
１１    折曲げ部
１３    フリー端部
１４    保持片の張出し端部
２０    レシート
【図１】
2006199369.tif 000003
【図２】
2006199369.tif 000004
【図３】
2006199369.tif 000005
【図４】
2006199369.tif 000006